【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
被検体に複数回、光を照射する光照射部と、前記被検体から発生した音響波を受信することにより受信信号を出力する探触子と、前記複数回の光照射のタイミングにおいて取得された複数の前記受信信号に基づいて複数のフレーム画像を生成する画像生成部と、前記複数のフレーム画像を表示部に表示させる表示制御部と、前記複数回の光照射のタイミングにおいて、前記画像生成部により画像化可能な領域の一部が重なり残部が重ならないように前記探触子を周回移動させる移動部と、を有し、
前記画像生成部により、前記画像化可能な領域は重ねられた共通領域の一部はフレーム画像毎に更新され、
前記画像生成部と前記表示制御部の少なくともいずれかにより、前記共通領域の残部と前記画像化可能な領域が重ねられない非共通領域とは、前記フレーム画像毎に更新されないか、または、前記共通領域の一部より視認性が低く表示されることを特徴とする被検体情報取得装置。
【請求項２】
前記画像生成部は、前記光照射のタイミングが異なる少なくとも２つの画像を合成して、前記フレーム画像を生成することを特徴とする請求項１に記載の被検体情報取得装置。
【請求項３】
前記表示制御部は、前記複数のフレーム画像を動画として前記表示部に表示させることを特徴とする請求項１または２に記載の被検体情報取得装置。
【請求項４】
前記移動部は、前記探触子を前記被検体に対して移動させることを特徴とする請求項１〜３のいずれか１項に記載の被検体情報取得装置。
【請求項５】
前記移動部は、前記光照射部による連続する２回の光照射の間に、前記複数の音響波検知素子の配置によって定まる高分解能領域の大きさ以下の距離だけ前記探触子を移動させること
を特徴とする請求項１〜４のいずれか１項に記載の被検体情報取得装置。
【請求項６】
前記周回移動は、円形の軌道に沿って行われることを特徴とする請求項１に記載の被検体情報取得装置。
【請求項７】
前記周回移動は、連続する周回において互いに異なる前記相対位置にて前記探触子が前記音響波を受信するように前記探触子が移動されることを特徴とする請求項１〜６のいずれか１項に記載の被検体情報取得装置。
【請求項８】
前記光照射部は、前記探触子と一体的に前記移動部により移動されることを特徴とする請求項７に記載の被検体情報取得装置。
【請求項９】
前記被検体の光学像を取得する撮像部をさらに備えることを特徴とする請求項１〜８のいずれか１項に記載の被検体情報取得装置。
【請求項１０】
前記表示制御部は、前記フレーム画像および前記光学像を前記表示部に表示させることを特徴とする請求項１〜９のいずれか１項に記載の被検体情報取得装置。
【請求項１１】
前記光学像上の位置を入力するための入力部を有し、
前記入力された位置に基づいて、前記移動部は前記探触子を移動すること
を特徴とする請求項１〜１０のいずれか１項に記載の被検体情報取得装置。
【請求項１２】
前記探触子は、
各々が音響波を検知する複数の音響波検知素子と、
前記複数の音響波検知素子の指向軸が集まるように支持する支持部材と、を有することを特徴とする請求項１〜１１のいずれか１項に記載の被検体情報取得装置。
【請求項１３】
前記画像生成部と前記表示制御部の少なくともいずれかにより、前記共通領域の残部と前記非共通領域とが前記フレーム画像毎には更新されないか前記共通領域の一部より視認性が低く表示される請求項１〜１２のいずれか１項に記載の被検体情報取得装置。
【請求項１４】
被検体に複数回、光を照射しつつ、前記被検体から発生した音響波を受信することにより受信信号を出力するステップと、
前記複数回の光照射のタイミングにおいて、前記画像生成部により画像化可能な領域の一部が重なり残部が重ならないように前記探触子を周回移動させるステップと、
前記複数回の光照射のタイミングにおいて取得された複数の前記受信信号に基づいて複数のフレーム画像を生成するステップと、
前記複数のフレーム画像を表示部に表示させるステップと、を有し、
前記画像化可能な領域が重ねられた共通領域の一部はフレーム画像毎に更新され、前記共通領域の残部と前記画像化可能な領域が重ねられない非共通領域とは前記フレーム画像毎に更新されないか、または、前記共通領域の一部より視認性が低く表示されるように、前記複数のフレーム画像を生成するステップと前記複数のフレーム画像を表示部に表示させるステップの少なくともいずれかが実行されることを特徴とする被検体情報処理方法。
【請求項１５】
前記複数のフレーム画像を生成するステップは、前記光照射のタイミングが異なる少なくとも２つの画像を合成して、前記フレーム画像を生成するように行われることを特徴とする請求項１４に記載の被検体情報処理方法。
【請求項１６】
前記複数のフレーム画像を表示させるステップは、前記複数のフレーム画像を動画として前記表示部に表示させるように行われることを特徴とする請求項１４または１５に記載の被検体情報処理方法。
【請求項１７】
前記複数のフレーム画像を表示させるステップは、前記フレーム画像および前記被検体の光学像を前記表示部に表示させるように行われることを特徴とする請求項１４〜１６のいずれか１項に記載の被検体情報処理方法。
【請求項１８】
請求項１４〜１７のいずれか１項に記載の前記被検体情報処理方法をコンピュータに実行させるプログラム。
【手続補正２】
【補正対象書類名】明細書
【補正対象項目名】０００７
【補正方法】変更
【補正の内容】
【０００７】
上記目的を達成する本発明の一つの実施形態に係る被検体情報取得装置は、被検体に複数回、光を照射する光照射部と、前記被検体から発生した音響波を受信することにより受信信号を出力する探触子と、前記複数回の光照射のタイミングにおいて取得された複数の前記受信信号に基づいて複数のフレーム画像を生成する画像生成部と、前記複数のフレーム画像を表示部に表示させる表示制御部と、前記複数回の光照射のタイミングにおいて、前記画像生成部により画像化可能な領域の一部が重なり残部が重ならないように前記探触子を周回移動させる移動部と、を有し、
前記画像生成部により、前記画像化可能な領域が重ねられた共通領域の一部はフレーム画像毎に更新され、
前記画像生成部と前記表示制御部の少なくともいずれかにより、前記共通領域の残部と前記画像化可能な領域が重ねられない非共通領域とは、前記フレーム画像毎に更新されないか、または、前記共通領域の一部より視認性が低く表示されることを特徴とする。
また、本発明の一つの実施形態に係る被検体情報取得方法は、被検体に複数回、光を照射しつつ、前記被検体から発生した音響波を受信することにより受信信号を出力するステップと、前記複数回の光照射のタイミングにおいて、前記画像生成部により画像化可能な領域の一部が重なり残部が重ならないように前記探触子を周回移動させるステップと、前記複数回の光照射のタイミングにおいて取得された複数の前記受信信号に基づいて複数のフレーム画像を生成するステップと、前記複数のフレーム画像を表示部に表示させるステップと、を有し、前記画像化可能な領域が重ねられた共通領域の一部はフレーム画像毎に更新され、前記共通領域の残部と前記画像化可能な領域が重ねられない非共通領域とは、前記フレーム画像毎に更新されないか、または、前記共通領域の一部より視認性が低く表示されるように、前記複数のフレーム画像を生成するステップと前記複数のフレーム画像を表示部に表示させるステップの少なくともいずれかが実行されることを特徴とする。